(57)【要約】      （修正有）【課題】太陽電池パネルの温度上昇に伴う発電効率の低下を抑制するとともに太陽電池パネルの下方のスペースを有効に利用することができるソーラーシステムを提供する。【解決手段】ソーラーシステム１００は、陸上に設けられた魚介類６０を養殖するための貯水部２と、一方の主面で太陽光を受光するように前記貯水部の上方に配置された太陽電池パネル１と、を備える。【選択図】図１
2014068624.tif 000002
【特許請求の範囲】
【請求項１】
陸上に設けられた、魚介類を養殖するための貯水部と、
一方の主面で太陽光を受光するように前記貯水部の上方に配置された太陽電池パネルと、を備える、ソーラーシステム。
【請求項２】
前記貯水部は屋外に設けられ、
前記貯水部の上方又は上方及び側方に延在するように天蓋が設けられ、
前記天蓋の少なくとも一部を構成するように又は前記天蓋の上に前記太陽電池パネルが配置されている、請求項１に記載のソーラーシステム。
【請求項３】
前記太陽電池パネルは光非透過性である、請求項１又は２に記載のソーラーシステム。
【請求項４】
前記太陽電池パネルが発電した電力を前記魚介類の養殖に利用するよう構成されている、請求項１乃至３のいずれかに記載のソーラーシステム。
【請求項５】
前記太陽電池パネルが発電した電力で駆動されて冷熱又は温熱の熱媒体を排出するとともに、当該熱媒体の温度制御が可能な熱媒体供給ユニットと、
前記熱媒体供給ユニットから排出された前記熱媒体が供給される前記貯水部としての水槽と、
前記水槽内に配設された温度検出器と、
前記温度検出器により検出された温度に基づいて、前記熱媒体供給ユニットから排出される前記熱媒体の温度を前記養殖対象の魚介類に応じて制御する制御装置と、
を備える請求項４に記載のソーラーシステム。
【請求項６】
前記貯水部は、複数種の魚介類毎に設けられており、
前記制御装置は、複数種の魚介類毎に設けられた前記水槽内の水温をそれぞれ制御可能となるように構成されている、請求項５に記載のソーラーシステム。
【発明の詳細な説明】
【技術分野】
【０００１】
本発明は、ソーラーシステムに関する。
【背景技術】
【０００２】
所定の施設の屋上や屋根等に太陽電池パネルを配設し、当該太陽電池パネルにおいて太陽光エネルギーを電気エネルギーに変換して当該電気エネルギーにより当該施設内の電力需要を賄うソーラーシステム（Solar System）が知られている。
【０００３】
ところで、太陽電池パネルにおいて受けた太陽光エネルギーの一部は、太陽電池パネルの構成部材である太陽電池セル内の抵抗によりジュール熱に転換されて、太陽電池パネルの表面反射や排熱（放熱）の形で放出される。そして、太陽電池パネルは、その表面温度が１℃上昇する毎に、その発電効率が約０．５％低下することが知られている。
【０００４】
そこで、例えば、特許文献１には、太陽電池モジュールが設置される地表面を被覆植物で覆い、それにより、地表面からの照り返しが抑制され、その結果、太陽電池モジュールの温度上昇に伴う発電量の低下が抑制されることが開示されている。
【先行技術文献】
【特許文献】
【０００５】
【特許文献１】特開２０１１−１７２５４０号公報
【発明の概要】
【発明が解決しようとする課題】
【０００６】
しかしながら、特許文献１に開示された太陽電池モジュールの下方の地表面には被覆植物が植栽されているだけであるので、太陽電池モジュールの下方のスペースが有効に利用されていない。
【０００７】
本発明は、このような課題を解決するためになされたもので、その目的は、太陽電池パネルの温度上昇に伴う発電効率の低下を抑制するとともに太陽電池パネルの下方のスペースを有効に利用可能なソーラーシステムを提供することにある。
【課題を解決するための手段】
【０００８】
前記目的を達成するために、本発明のある形態（aspect）に係るソーラーシステムは、陸上に設けられた、魚介類を養殖するための貯水部と、一方の主面で太陽光を受光するように前記貯水部の上方に配置された太陽電池パネルと、を備える、ものである。
【０００９】
前記構成によれば、貯水部の水温は魚介類の養殖に適した比較的低い温度に維持されるため、太陽電池パネルが貯水部によって冷却される。この結果、太陽電池パネルの温度上昇による発電効率の低下を抑制することができる。また、太陽電池パネルの下方のスペースを魚介類の養殖向けに利用することができる。
【００１０】
前記魚介類の例示としては、海水魚（クエ、マダイ、ヒラメ、オニコゼ、トラフグ、シマアジ、車エビ、カニ等）や淡水魚（ティラピア（Tilapia）、ウナギ、アユ等）である。
【００１１】
前記貯水部の例示としては、池、水槽、プール、又は水田であり、その設置場所は、地面の上だけでなく、建物の屋上又は上方が開放された建物の内部でもあってもよい。
【００１２】
前記ソーラーシステムにおいて、前記貯水部は屋外に設けられ、前記貯水部の上方又は上方及び側方に延在するように天蓋が設けられ、前記天蓋の少なくとも一部を構成するように又は前記天蓋の上に前記太陽電池パネルが配置されている、としてもよい。
【００１３】
前記構成によれば、天蓋によって雨を凌ぐことができるので、養殖作業が容易になる。また、天蓋の少なくとも一部を構成するように太陽電池パネルが設けられる場合には、太陽電池パネル専用の支持構造が不要になる。また、天蓋の上に太陽電池パネルが設置される場合には、天蓋に熱伝導性を持たせる（金属製にする、厚みを薄くする等）ことにより、太陽電池パネルが貯水部によって冷却される。
【００１４】
前記ソーラーシステムにおいて、前記太陽電池パネルは光非透過性である、としてもよい。
【００１５】
前記構成によれば、日焼けを嫌う魚介類（例えばマダイ）の養殖に好適である。
【００１６】
前記ソーラーシステムにおいて、前記太陽電池パネルが発電した電力を前記魚介類の養殖に利用するよう構成されている、としてもよい。
【００１７】
なお、太陽電池パネルが発電した電力を魚介類の養殖に利用するとは、養殖に必要な如何なる電力負荷に利用することを意味する。
【００１８】
前記ソーラーシステムにおいて、前記太陽電池パネルが発電した電力で駆動されて冷熱又は温熱の熱媒体を排出するとともに、当該熱媒体の温度制御が可能な熱媒体供給ユニットと、前記熱媒体供給ユニットから排出された前記熱媒体が供給される前記貯水部としての水槽と、前記水槽内に配設された温度検出器と、前記温度検出器により検出された温度に基づいて、前記熱媒体供給ユニットから排出される前記熱媒体の温度を前記養殖対象の魚介類に応じて制御する制御装置と、を備える、としてもよい。
【００１９】
前記構成によれば、太陽電池パネルの他方の面側の空間を栽培用設備向けに有効活用し、太陽光エネルギーを変換して得られた電気エネルギー及び熱エネルギーを、当該水槽内に養殖されている魚介類に応じた当該水槽内の温度制御に有効利用することが可能となる。
【００２０】
前記ソーラーシステムにおいて、前記貯水部は、複数種の魚介類毎に設けられており、前記制御装置は、複数種の魚介類毎に設けられた前記水槽内の水温をそれぞれ制御可能となるように構成されている、としてもよい。
【００２１】
前記構成によれば、複数種の魚介類毎に適した陸上養殖を実現することが可能となる。
【発明の効果】
【００２２】
本発明によれば、太陽電池パネルの温度上昇に伴う発電効率の低下を抑制するとともに太陽電池パネルの下方のスペースを有効に利用可能なソーラーシステムを提供することができる。
【図面の簡単な説明】
【００２３】
【図１】図１は本発明の実施の形態１に係るソーラーシステムの構成例を示すブロック図である。
【図２】図２は本発明の実施の形態２に係るソーラーシステムの構成例を示すブロック図である。
【図３】図３は本発明の実施の形態３に係るソーラーシステムの構成例を示すブロック図である。
【図４】図４は本発明の実施の形態４に係るソーラーシステムの構成例を示すブロック図である。
【図５】図５は本発明の実施の形態５に係るソーラーシステムの構成例その他の例を示すブロック図である。
【図６】図６は本発明の実施の形態５における３種類の魚介類毎の水温調整用プログラム内容の一例を示す概念図である。
【発明を実施するための形態】
【００２４】
（実施の形態１）
図１は本発明の実施の形態１に係るソーラーシステムの構成例を示すブロック図である。なお、図１に示すソーラーシステム１００は、陸上に設けられた、魚介類６０を養殖するための貯水部２と、一方の主面で太陽光を受光するように貯水部２の上方に配置された太陽電池パネル１と、を備える、ものである。
【００２５】
太陽電池パネル１は、複数の太陽電池セルを配列するとともに結線して必要な電力が得られるようにパネル化した自然エネルギー発電装置の一つである。太陽電池パネル１は、太陽光を受光する側の一方の面Ｓ１と、厚み方向に沿って該一方の面の反対側にある他方の面Ｓ２と、を有する。なお、良く知られているように、太陽電池パネル１には、光非透過性のものと、光透過性のもとがあるが、いずれでも構わない。但し、太陽電池パネル１が光非透過性であれば、日焼けを嫌う魚介類６０（例えばマダイ）の養殖にとって好適である。太陽電池パネル１は、図示されない適宜な支持構造によって支持される。支持構造としては、後述する天蓋、支柱、支持枠体等が例示される。
【００２６】
魚介類６０は、例えば海水魚（クエ、マダイ、ヒラメ、オニコゼ、トラフグ、シマアジ、車エビ、カニ等）又は淡水魚（ティラピア、ウナギ、アユ等）である。ここでは、スズキ目シクリッド科に属するティラピアについて詳述すると、タイに味や触感が似ており、外観がクロダイに似ている。ティラピアは、雑食性であり、水質に対して適応性が広く、病気の発生も少なく飼育しやすいので、近年養殖が盛んに行われている。なお、ティラピアの生活可能水温は１６℃〜４５℃であり、適温は２４℃〜３０℃であることが知られている。
【００２７】
貯水部２は、例えば、池、水槽、プール、又は水田である。貯水部２の設置場所は、池、水槽、プール、又は水田を構成する地面の上だけでなく、建物の屋上や、上方が開放された建物の内部であってもよい。
【００２８】
以上の構成によれば、貯水部２の水温は魚介類６０の養殖に適した比較的低い温度に維持されるため、太陽電池パネル１が貯水部２によって冷却される。その結果、太陽電池パネル１の温度上昇による発電効率の低下を抑制することができる。また、太陽電池パネル１の下方のスペースを魚介類６０の養殖に利用することができる。
（実施の形態２）
図２は本発明の実施の形態２に係るソーラーシステムの構成例を示すブロック図である。なお、図２に示すソーラーシステム１０１においては、貯水部２は屋外に設けられ、貯水部２の上方又は上方及び側方に延在するように天蓋３が設けられている。さらに、天蓋３の少なくとも一部を構成するように太陽電池パネル１が配置されるか、若しくは天蓋３の上に太陽電池パネル１が配置されている、としてもよい。
【００２９】
天蓋３は、養殖の作業者が雨に濡れずに済み、且つ太陽電池パネル１を支持できるものであれば、その構造は任意である。例えば、図２に示すように、天蓋３は、太陽電池パネル１が配置される屋根を１つの側壁で片持ち状に支持する構造であってもよい。屋根及び側壁は、例えば、ビニールハウスのように、パイプ部材を連結した枠体にビニールシートを取り付けた構造とすることができる。このような構造であれば、屋根１の下方の空間の３方が開放されているので、風通しがよく、好適に養殖作業を行うことができる。また、屋根の下方の空間の四方を側壁で囲む密閉された建屋構造としてもよい。このような構造であれば、外気温の影響を低減した状態で太陽電池パネル１を冷却することができる。
【００３０】
以上の構成によれば、天蓋３によって雨を凌ぐことができるので、養殖作業が容易になる。また、天蓋３の少なくとも一部を構成するように太陽電池パネル１が設けられる場合には、太陽電池パネル１専用の支持構造が不要になる。また、天蓋３の上に太陽電池パネル１が設置される場合には、天蓋３に熱伝導性を持たせる（金属製とする、厚みを薄くする等）ことにより、太陽電池パネル１が貯水部２によって冷却されやすくなる。
（実施の形態３）
図３は、本発明の実施の形態３に係るソーラーシステムの構成例を示すブロック図である。なお、図３に示すソーラーシステム１０２は、太陽電池パネル１が発電した電力を魚介類６０の養殖に利用するよう構成されている。なお、太陽電池パネル１が発電した電力を魚介類の養殖に利用するとは、養殖に必要な電力負荷に利用することを意味する。具体的には、図３に示すソーラーシステム１０２は、いわゆるハイブリッドソーラーシステムであり、陸上養殖用施設の天蓋３０に配設された太陽電池パネル１において、太陽光エネルギーから変換された電気エネルギー及び熱エネルギーを、魚介類６０の陸上養殖用水槽６の温度調節に有効利用するものである。
【００３１】
図３に示すソーラーシステム１０２は、太陽電池パネル１と、図２に示す天蓋２の一例としての陸上養殖用施設の天蓋３０と、天蓋３０の少なくとも一部として構成されるか、若しくは天蓋３０の上に配設された太陽電池パネル１と、第１の熱媒体供給ユニット４と、第２の熱媒体供給ユニット５と、貯水部２としての魚介類６０を陸上養殖するための陸上養殖用水槽６と、制御装置７と、を備える。
【００３２】
第１の熱媒体供給ユニット４は、太陽電池パネル１の他方の面Ｓ２側からの排熱を陸上用養殖水槽６内の水温を温めるための温熱として有効利用する目的で設けられている。つまり、第１の熱媒体供給ユニット４は、太陽電池パネル１の他方の面Ｓ２側の近傍の空間に他方の面Ｓ２と互いに対向するように配設されている。そして、太陽電池パネル１の他方の面Ｓ２側から放出される排熱を取得して該取得した排熱により生じた温熱の第１の熱媒体Ｍ１（気相又は液相）を排出するとともに、第１の熱媒体Ｍ１の温度制御が可能となるように構成されている。
【００３３】
具体的には、第１の熱媒体供給ユニット４は、太陽電池パネル１の他方の面Ｓ２側に配設され、太陽電池パネル１の他方の面Ｓ２側から放出される排熱を取得して第１の熱媒体Ｍ１として蓄積する蓄熱槽４１と、太陽電池パネル１において生じた電力を蓄える蓄電池４２と、蓄電池４２において蓄えられた電力により駆動され、制御装置７からの温度制御信号ＣＨに基づいて蓄熱槽４１に蓄積された第１の熱媒体Ｍ１を加熱する加熱器４３と、を有する。
【００３４】
蓄熱槽４１は、太陽電池パネル１の他方の面Ｓ２側の近傍の空間に、太陽電池パネル１と互いに対向するように配設されている。なお、蓄熱槽４１と陸上養殖用水槽６との間は導熱管４４を介して連結されており、蓄熱槽４１は、蓄熱槽４１に貯められた第１の熱媒体Ｍ１が導熱管４４を介して陸上養殖用水槽６に送り込まれるように構成されている。
【００３５】
蓄電池４２及び加熱器４３は、例えば、夜間、曇りの日、及び雨天の日等、熱取得モジュール４６及び蓄熱槽４１では陸上養殖用水槽６の温熱として第１の熱媒体Ｍ１の温度が十分ではなかった場合、補助的な第１の熱媒体Ｍ１の加熱手段という目的で設けられている。従って、加熱器４３は、蓄電池４２に蓄えられた電力のみならず、商用電力によっても駆動されるように構成されることが好ましい。
【００３６】
第２の熱媒体供給ユニット５は、第１の熱媒体供給ユニット４のみでは陸上用養殖水槽６内の水温の極め細やかな調整が不可能であるため、太陽電池パネル１において生じた電力を使用して陸上用養殖水槽６内の水温を温めるための温熱又は水温を冷却するための冷熱を生成する目的で設けられている。つまり、第２の熱媒体供給ユニット５は、太陽電池パネル１において生じた電力により駆動されて冷熱又は温熱の第２の熱媒体Ｍ２（気相又は液相）を排出するとともに、第２の熱媒体Ｍ２の温度制御が可能となるように構成されている。
【００３７】
具体的には、第２の熱媒体供給ユニット５は、太陽電池パネル１において生じた電力により駆動され、第２の熱媒体Ｍ２（気相又は液相）を生成するとともに、この生成した第２の熱媒体Ｍ２を陸上養殖用水槽６に向けて排出する第１のヒートポンプ５０を有する。さらに、第２の熱媒体供給ユニット５は、太陽電池パネル１において生じた電力により駆動され、蓄熱槽４１から排出された第１の熱媒体Ｍ１が供給され、第１の熱媒体Ｍ１に基づいて第２の熱媒体Ｍ２を補助する役割を果たす熱媒体として温熱又は冷熱の補助熱媒体Ｍ２’（気相又は液相）を生成するとともに、この生成した補助熱媒体Ｍ２’を陸上養殖用水槽６に向けて排出する第２のヒートポンプ５１を有する。
【００３８】
第１のヒートポンプ５０は、例えば、蒸気圧縮式ヒートポンプや、吸収式ヒートポンプ（吸収式冷凍機）として実現することができる。そして、第１のヒートポンプ５０と陸上養殖用水槽６との間は導熱管５２を介して連結されており、第１のヒートポンプ５０は、第２の熱媒体Ｍ２が導熱管５２を介して陸上養殖用水槽６に送り込まれるように構成されている。なお、太陽電池パネル１により生じた電力を節約するために、圧縮器の駆動に電力を消費する蒸気圧縮式ヒートポンプと比べて、消費電力が少なくて済む吸収式ヒートポンプを採用することが好ましい。
【００３９】
具体的には、吸収式ヒートポンプは、蒸発器（室外機を含む）と、吸収器と、再生器と、凝縮器（冷却塔を含む）とを備えて成る。蒸発器は、凝縮器から送られた冷媒を真空且つ低温下で蒸発させることにより室外機のループ配管内を循環する水を冷やして冷水を得る。吸収器は、蒸発器と一体的に互いの内部空間が連通しており、吸収液を収容し、蒸発器で生じた冷媒蒸気を吸収液で吸収する。再生器は、吸収器から供給された濃度が薄くなった吸収液を収容し、濃度が薄くなった吸収液を加熱源により加熱濃縮することにより冷媒蒸気と吸収液とに気液分離し、この気液分離により濃度が回復した吸収液が吸収器へと帰還される。凝縮器は、再生器から供給された気液分離後の冷媒蒸気を冷却塔のループ配管内を循環する冷却水により凝縮液化することで冷媒を得て、当該冷媒を蒸発器へと帰還させる。以上の吸収式冷凍機の構成は、冷房モードにおける循環サイクルを前提とした構成であり、この循環サイクルにより室外機において冷風が継続的に発生する。なお、冷房モードを暖房モードに切り替えることも可能であり、暖房モードの場合には、冷却塔が機能しないようにする。
【００４０】
第２のヒートポンプ５１は、前述したとおり第１のヒートポンプ５０により生じた第２の熱媒体Ｍ２の温熱又は冷熱では十分ではない場合の補助的な役割として、かつ蓄熱槽４１に蓄えられた第１の熱媒体Ｍ１の温熱のさらなる有効利用を果たすためのものである。したがって、第２のヒートポンプ５１は、蓄熱槽４１に蓄えられた第１の熱媒体Ｍ１の温熱を熱源として利用する温水焚吸収式冷凍機として実現されることが好ましい。蓄熱槽４１と第２のヒートポンプ５１との間は導熱管４５を介して連結されており、蓄熱槽４１に蓄えられた第１の熱媒体Ｍ１が第２のヒートポンプ５１に送られて利用される。また、第２のヒートポンプ５１と陸上養殖用水槽６との間は導熱管５３を介して連結されており、第２のヒートポンプ５１は、第２の熱媒体Ｍ２を補助する補助熱媒体Ｍ２’が導熱管５３を介して陸上養殖用水槽６に送り込まれるように構成されている。
【００４１】
陸上用養殖水槽６は、魚介類６０を陸上養殖するための貯水部２としての水槽である。具体的には、第１の熱媒体供給ユニット４（蓄熱槽４１）から排出された第１の熱媒体Ｍ１が導熱管４４を介して供給されるとともに、第２の熱媒体供給ユニット５から排出された第２の熱媒体Ｍ２及び補助熱媒体Ｍ２’がそれぞれ導熱管５２，５３を介して供給されて、制御装置７によって魚介類６０に応じた水槽内の水温の温度調整が可能となるように構成されている。
【００４２】
具体的には、陸上養殖用水槽６は、水温を検出するための温度検出器６１を配設している。なお、図３に示す温度検出器６１は、陸上養殖用水槽６内に配設されている。温度検出器６１は、陸上養殖用水槽６内で検出した水温を表す信号を制御装置７に向けて出力している。さらに、陸上養殖用水槽６には濾過装置６２が配設されている。濾過装置６２を配設することにより、淡水魚のみならず海水魚の養殖を陸上で行う閉鎖循環式陸上養殖の実現が可能となる。なお、閉鎖循環式陸上養殖は閉鎖した屋内で環境を管理するため、赤潮、ウィルス、魚病、荒天等の外的要因を受けにくくなる。
【００４３】
制御装置７は、ＣＰＵ(Central Processing Unit)５０とメモリ(memory)５１とを有する。ＣＰＵ７０は、メモリ７１内に格納されている水温調整用プログラムに従って、温度検出器６１により検出された陸上養殖用水槽６内の水温を取得しながら、第１の熱媒体供給ユニット４から排出される第１の熱媒体Ｍ１の温度と、第２の熱媒体供給ユニット５から排出される第２の熱媒体Ｍ２及び補助熱媒体Ｍ２’の温度と、を魚介類６０に応じて制御する処理を遂行する。
【００４４】
具体的には、制御装置７は、第１の熱媒体供給ユニット４の加熱器４３に向けて、蓄熱槽４１に蓄積された第１の熱媒体Ｍ１の温度を指示する温度制御信号ＣＨを出力する。さらに、制御装置７は、第２の熱媒体供給ユニット５における第１のヒートポンプ５０及び第２のヒートポンプ５１それぞれに向けて、第２の熱媒体Ｍ２及び補助熱媒体Ｍ２’の温度を指示する温度制御信号ＣＣ１，ＣＣ２を出力する。なお、制御装置７は、一のＣＰＵ７０による集中型の構成としてもよいし、複数のＣＰＵ７０による分散型の構成としてもよい。
【００４５】
なお、第１の熱媒体供給ユニット４において、前述したとおり、蓄電池４２及び加熱器４３は熱取得モジュール４６及び蓄熱槽４１の補助的な役割を果たすものである。したがって、熱取得モジュール４６及び蓄熱槽４１によって第１の熱媒体Ｍ１の温熱が十分に得られる場合には、蓄電池４２及び加熱器４３を配設しなくてもよい。
【００４６】
また、第２の熱媒体供給ユニット５において、前述したとおり、第２のヒートポンプ５１は第１のヒートポンプ５０の補助的な役割を果たすものである。したがって、第１のヒートポンプ５０によって第２の熱媒体Ｍ２の温熱又は冷熱が十分に得られる場合には、第２のヒートポンプ５１を配設しなくてもよい。  
【００４７】
以上の構成によれば、太陽電池パネル１の他方の面Ｓ２側の空間を陸上養殖用施設向けに有効活用するとともに、陸上養殖用水槽６によって太陽電池パネル１を冷却することができる。さらに、太陽光エネルギーを変換して得られた電気エネルギー及び熱エネルギーを、陸上養殖用水槽６内に養殖されている魚介類６０に応じた陸上養殖用水槽６内の水温制御に有効利用することが可能となる。
【００４８】
また、第１の熱媒体供給ユニット４の構成によれば、夜間、曇りの日、及び雨天の日等、陸上養殖用水槽６内の水温制御として第１の熱媒体Ｍ１の温度が適切ではなかった場合においても、第１の熱媒体供給ユニット４から陸上養殖用水槽１に向けて魚介類６０に応じた第１の熱媒体Ｍ１の適切な温熱を供給することが可能となる。
【００４９】
また、第２の熱媒体供給ユニット５の構成によれば、第１のヒートポンプ５０のみでは陸上養殖用水槽６内の水温制御として第２の熱媒体Ｍ２の温度が適切ではなかった場合においても、第１の熱媒体供給ユニット４の蓄熱槽４１に貯められた第１の熱媒体Ｍ１の温熱を有効利用した第２のヒートポンプ５１により第２の熱媒体Ｍ２を補助する補助熱媒体Ｍ２’を生成して、第２の熱媒体供給ユニット５から陸上養殖用水槽６に向けて第２の熱媒体Ｍ２及び補助熱媒体Ｍ２’を供給することが可能となる。
【００５０】
また、省エネルギー化が図られた陸上養殖を適切に実現することが可能となる。
（実施の形態４）
図４は、本発明の実施の形態４に係るソーラーシステムの構成例を示すブロック図である。
【００５１】
図４に示すソーラーシステム１０３は、いわゆるハイブリッドソーラーシステムであり、図３に示すソーラーシステム１０２と対比すると、第１の熱媒体供給ユニット４の構成に熱取得モジュール４６が追加されている。
【００５２】
熱取得モジュール４６は、所謂熱交換器として実現される。例えば、太陽電池パネル１の他方の面Ｓ２と互いに対向するように所定の経路を形成して配設された回収管内に液体等の第１の熱媒体Ｍ１を流し続けており、太陽電池パネル１の他方の面Ｓ２側から放出される排熱を、当該回収管内を流れる第１の熱媒体Ｍ１によって吸収する吸熱装置（例えば、ヒートポンプの吸熱器）として実現される。
【００５３】
本実施の形態の場合、蓄熱槽４１は、熱取得モジュール４６の前述した回収管から分岐した導熱管を取り込み、当該導熱管の途中に配設されたポンプ等により、熱取得モジュール４６において取得された第１の熱媒体Ｍ１が当該導熱管を介して送り込まれて、その第１の熱媒体Ｍ１を貯めるための設備である。
【００５４】
なお、本実施の形態の場合、加熱器４３は、蓄熱槽４１内に蓄えられた第１の熱媒体Ｍ１を加熱する以外に、熱取得モジュール４６の吸熱管を流れる第１の熱媒体Ｍ１を加熱するように配置されてもよい。
【００５５】
その他の構成については、図３に示すソーラーシステム１０２の構成と同じであるため、その説明を省略する。
【００５６】
以上の構成によれば、熱取得モジュール４６が貯水部２としての陸上養殖用水槽６によって冷却されるので、熱取得モジュール４６による太陽電池パネル１の冷却効果を向上させることが可能となる。
（実施の形態５）
図５は、本発明の実施の形態５に係るソーラーシステムの構成例を示すブロック図である。前述した実施の形態では一種類の魚介類６０を養殖する陸上養殖システムであったのに対し、図５に示すソーラーシステム１０４は、複数種の魚介類を個別に養殖する陸上養殖システムである。
【００５７】
図５に示すソーラーシステム１０４は、３つの陸上用養殖用水槽（４ａ，４ｂ，４ｃ）を配設し、それぞれの陸上養殖用水槽（６ａ，６ｂ，６ｃ）内には互いに異なる３種類の魚介類（６０ａ，６０ｂ，６０ｃ）を養殖するようにしている。３つの陸上養殖用水槽（６ａ，６ｂ，６ｃ）内の水温調整をそれぞれ適切に遂行するために、３種類の魚介類（６０ａ，６０ｂ，６０ｃ）に応じて３つの第１の熱媒体供給ユニット（４ａ，４ｂ，４ｃ）と３つの第２の熱媒体供給ユニット（５ａ，５ｂ，５ｃ）とがそれぞれ配設されている。
【００５８】
制御装置７は、３種類の魚介類（６０ａ，６０ｂ，６０ｃ）毎に適した水温調節用のプログラム（又はメインプログラム(main program)から読み出されるルーチン(routine)）をメモリ７１に格納している。ＣＰＵ７０は、メモリ７１に格納された３種類のプログラムを読み出してそれらの処理を同時並列的に遂行する。図６は、本発明の実施の形態５における３種類の魚介類毎の水温調整用プログラム内容の一例を示す概念図である。
【００５９】
なお、図５に示すソーラーシステム１０４は、３種類の魚介類（６０ａ，６０ｂ，６０ｃ）を養殖するシステムであるが、３種類に限らず、２種類や４種類以上であってもよい。また、図５においては、図３に示すソーラーシステム１０２と同様の構成については、図面の簡略化のために示されていない。それらの省略した構成の説明については、図３に示すソーラーシステム１０２の説明をもって省略することとする。  
【００６０】
以上説明したソーラーシステム１０４の構成によれば、複数種の魚介類毎に適した陸上養殖を実現することが可能となる。
【００６１】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００６２】
本発明は、魚介類の養殖向けのソーラーシステムにとって有益である。
【符号の説明】
【００６３】
１・・・太陽電池パネル
Ｓ１・・・太陽電池パネルの一方の面
Ｓ２・・・太陽電池パネルの他方の面
２・・・貯水部
３，３０・・・天蓋
４，４ａ，４ｂ，４ｃ・・・第１の熱媒体供給ユニット
４１・・・蓄熱槽
４２・・・蓄電池
４３・・・加熱器
４４，４５，５２，５３・・・導熱管
４６・・・熱取得モジュール
５，５ａ，５ｂ，５ｃ・・・第２の熱媒体供給ユニット
５０・・・第１のヒートポンプ
５１・・・第２のヒートポンプ
６，６ａ，６ｂ，６ｃ・・・陸上養殖用水槽
６０，６０ａ，６０ｂ，６０ｃ・・・魚介類
６１・・・温度検出器
６２・・・濾過装置
７・・・制御装置
７０・・・ＣＰＵ
７１・・・メモリ
１００，１０１，１０２，１０３，１０４・・・ソーラーシステム
【図１】
2014068624.tif 000003
【図２】
2014068624.tif 000004
【図３】
2014068624.tif 000005
【図４】
2014068624.tif 000006
【図５】
2014068624.tif 000007
【図６】
2014068624.tif 000008